(57)【要約】【課題】組立てが容易で、かつ、本物の商品に近い形状のものに形成できるディスプレイ用ダミー品を得る。【解決手段】背面を開放部に形成した箱型の本体２と、この本体２の前記背面側に組合わさり額縁状で係止爪１８を設けた枠体３とで構成し、前記本体２の前面部５からその上下左右に連成した上面部６、下面部７、および左右の側面部８、９のそれぞれの端縁から、枠体３の装着部となる折り曲げ片１０を内側に向けて突出させ、この折り曲げ片１０に前記係止爪１８が係止する係止孔１１を設けた。【選択図】        図１
2004318212.tif 000002
【特許請求の範囲】
【請求項１】
背面を開放部に形成した箱型の本体と、この本体の前記背面側に組合わさり額縁状で係止爪を設けた枠体とで構成し、前記本体の前面部からその上下左右に連成した上面部、下面部、および左右の側面部のそれぞれの端縁から、枠体の装着部となる折り曲げ片を内側に向けて突出させ、この折り曲げ片に前記係止爪が係止する係止孔を設けたことを特徴とするディスプレイ用ダミー品。
【請求項２】
前記枠体は、折り曲げ片の基端部に外縁が当接する下枠と、この下枠の上に連成されて下枠よりも一回り小さい上枠の２重枠で構成され、前記係止爪は上枠の下面に形成され、下枠が折り曲げ片の内側に当接し、上枠に設けた係止爪が折り曲げ片に設けた係止孔に係止して上枠が折り曲げ片の外側に装着されることを特徴とする請求項１記載のディスプレイ用ダミー品。
【請求項３】
前記枠体は、折り曲げ片の基端部に外縁が当接する本体枠単体で構成し、係止爪はこの本体枠の上面に形成され、この係止爪が折り曲げ片に設けた係止孔に係止して本体枠が折り曲げ片の内側に装着されることを特徴とする請求項１記載のディスプレイ用ダミー品。
【請求項４】
前記左右の側面部の上下の側縁から形状保持用の舌片を突設したことを特徴とする請求項１から請求項３のいずれかに記載のディスプレイ用ダミー品。
【発明の詳細な説明】
【０００１】
【発明の属する技術分野】
この発明は、タバコ、ジュースなどの飲料、キャラメルなどの飴類の自動販売機のディスプレイ用のダミー品に関するものである。
【０００２】
【従来の技術】
例えば、タバコ、ジュースなどの飲料、キャラメルなどの飴類で箱型のパックに収められ、自動販売機で販売されるものがあるが、この自動販売機の正面に設けられているディスプレイには外箱だけのダミー品が陳列されている。このダミー品の外箱は、例えばタバコでは、従来、材質にプラスチックなどの合成樹脂材料を使用し、射出成型や組立て式により箱形に形成して前面に銘柄や商品名などを記載した印刷ラベルを貼付するものがある。
【０００３】
また、他の方法では、プラスチックなどの合成樹脂材料をインモールド成型し、成型時に印刷フィルムをインサートしている。さらに、他の方法として、図１１に示すように、厚手のプラスチックフィルムに商品名などを印刷し、このプラスチックフィルムを箱形に組立てダミー品２１とするものもある。
【０００４】
このダミー品２１は、図１２の展開図に示すように、前面部２２の左右両側に左側部２３、右側部２４をそれぞれ連成し、この左側部２３、右側部２４にさらに背面部２５ａ、２５ｂを連続して形成し、前面部２２の上に上面部２６を、下に下面部２７をそれぞれ連続して形成したもので、前記背面部２５ａ、２５ｂは背面側の全面積を縦に２分割した大きさに形成してある。また、上面部２６と下面部２７にはさらに折り曲げ片２８ａ、２８ｂを連成した。
【０００５】
そして、ダミー品２１に組立てるには、前面部２２に対して左側部２３、右側部２４を背面側に直角に折り曲げ、この左側部２３、右側部２４に対して背面部２５ａ、２５ｂをさらに直角に折り曲げ、背面側で背面部２５ａ、２５ｂの端縁をつき合わせ、さらに、上面部２６と下面部２７とを背面側に直角に折り曲げて、折り曲げ片２８ａ、２８ｂを背面部２５ａ、２５ｂの内側に差込む。
【０００６】
この状態で、背面部２５ａ、２５ｂの内側と折り曲げ片２８ａ、２８ｂの外側とをコテなどを使用しての熱溶着により、または接着剤を使用して接合し、図１１に示すような箱型の形状に組み上げる。
【０００７】
前記従来技術は、当業者間で一般的に行なわれているものであり、文献公知発明にかかるものではない。
【０００８】
【発明が解決しようとする課題】
前記した従来の方法のうち、図１１、図１２に示した厚手のプラスチックフィルムに商品名などを印刷し、このプラスチックフィルムを箱形に組立てるものは、組立ては容易であるが、組立てられた箱の各面が脹らんだ状態となって丸まり、タバコの容器の形状に近いものを得ることがむずかしい。
【０００９】
また、組立ての工程において接着剤を使用したり、溶着のための熱を使用するなどの必要があり、加工に手間取る。
【００１０】
この発明の目的は前記従来例の不都合を解消し、組立てが容易で、かつ、本物の商品に近い形状のものに形成できるディスプレイ用ダミー品を提供することにある。
【００１１】
【課題を解決するための手段】
この発明は前記目的を達成するため、請求項１に記載の発明では、背面を開放部に形成した箱型の本体と、この本体の前記背面側に組合わさり額縁状で係止爪を設けた枠体とで構成し、前記本体の前面部からその上下左右に連成した上面部、下面部、および左右の側面部のそれぞれの端縁から、枠体の装着部となる折り曲げ片を内側に向けて突出させ、この折り曲げ片に前記係止爪が係止する係止孔を設けたことを特徴とする。
【００１２】
この請求項１に記載の発明によれば、箱型の本体の背面側に形成した折り曲げ片に額縁状の枠体を差込むだけで、本体側の上面部、下面部および左右の側面部が前面部に対して直角に保持され、さらに、枠体によって上面部、下面部および左右の側面部が前面部に対して背面側の方向に引っ張られるから、本体が脹らむことなく箱型の形状に維持される。この状態で枠体に設けた係止爪が折り曲げ片に形成した係止孔に係合するから、枠体が折り曲げ片から外れることはなく、箱型の本体の背面側に確実に装着される。
【００１３】
請求項２に記載の発明は、前記枠体は、折り曲げ片の基端部に外縁が当接する下枠と、この下枠の上に連成されて下枠よりも一回り小さい上枠の２重枠で構成され、前記係止爪は上枠の下面に形成され、下枠が折り曲げ片の内側に当接し、上枠に設けた係止爪が折り曲げ片に設けた係止孔に係止して上枠が折り曲げ片の外側に装着されることを特徴とする。
【００１４】
この請求項２に記載の発明によれば、折り曲げ片は、下枠と上枠との間の隙間に挿入されて上枠で上方から押さえつけられるとともに、折り曲げ片に設けた係止孔には、上枠に設けた係止爪が上方から挿入するから、係止孔と係止爪との係合が容易かつ確実に行なわれ、枠体は折り曲げ片に対して所定位置に確実に保持され、本体が箱型の形状に確実に保持される。
【００１５】
請求項３に記載の発明は、前記枠体は、折り曲げ片の基端部に外縁が当接する本体枠単体で構成し、係止爪はこの本体枠の上面に形成され、この係止爪が折り曲げ片に設けた係止孔に係止して本体枠が折り曲げ片の内側に装着されることを特徴とする。
【００１６】
この請求項３に記載の発明によれば、枠体は一重の単体で構成し、この単体の本体枠を折り曲げ片の内側に当接して、折り曲げ片に設けた係止孔に本体枠に設けた係止爪を引っ掛けるだけで枠体を箱型の本体の背面に簡単に装着でき、本体が箱型の形状に確実に保持され、構造も簡単である。
【００１７】
請求項４に記載の発明は、前記左右の側面部の上下の側縁から形状保持用の舌片を突設したことを特徴とする。
【００１８】
この請求項４に記載の発明によれば、組立て状態で、舌片が枠体の下方で枠体に対して鉛直に位置するから、この舌片が枠体を支承し、よって、枠体が本体の前面側に倒れ込むことを防止し、本体が箱型の形状に保持される。
【００１９】
【発明の実施の形態】
以下、図面についてこの発明の実施の形態を詳細に説明する。図１はこの発明のディスプレイ用のダミー品の第１実施形態を示す背面側の斜視図、図２は同上ダミー品の箱型の本体の背面側の斜視図、図３は同上ダミー品の枠体の斜視図で、この発明のダミー品１は箱型の本体２とその背面側に組合わさる枠体３とで構成される。
【００２０】
箱型の本体２は、例えばプラスチックなどの合成樹脂を材質として使用し、背面部を開放部４に形成したもので、商品名や銘柄、その他の図柄などを印刷などにより表示した前面部５からその上下左右にそれぞれ上面部６、下面部７、および左右の側面部８、９を連続して形成し、それぞれの端縁から、枠体３の装着部となる折り曲げ片１０を内側に向けて突出させ、この折り曲げ片１０の中央に後述の係止爪が係止する細長形状の係止孔１１を設けた。
【００２１】
前記折り曲げ片１０は、上面部６、下面部７、および左右の側面部８、９の長手方向の長さよりも短く形成し、隣接する折り曲げ片１０の間には空隙１２が形成されるようにする。
【００２２】
また、左右の側面部８、９の上下縁である短辺側から上面部６と下面部７とのそれぞれの内方に折曲げ自在で、上面部６、下面部７および左右の側面部８、９と同一幅の形状保持用の舌片１３を突設する。
【００２３】
枠体３は、図３に示すようにアクリルなどの合成樹脂を材質として一体に成型され全体を額縁状に形成したもので、図４にも示すように前記折り曲げ片１０の基端部に外縁が当接する下枠１４と、この下枠１４の上に連成されて下枠１４よりも一回り小さい上枠１５の２重枠で構成し、上枠１５の四隅の部分の内側を下枠１４の方向に突出させ肉厚部に形成し、この肉厚部の箇所を連成部１６として上枠１５と下枠１４とを連成した。
【００２４】
この肉厚の連成部１６により、上枠１５と下枠１４とがつながるとともに、上枠１５と下枠１４との間に折り曲げ片１０の差込み用の隙間１７が形成される。
【００２５】
そして、前記上枠１５の下面側の中央に折り曲げ辺１０の係止孔１１に係止する細長形状の係止爪１８を突設した。この係止爪１８は図５に示すように先端が上枠１５の内方にわずか突出する突出部１８ａに形成した。
【００２６】
次に、枠体３を箱型の本体２に装着してダミー品１を組立てる方法を図１について説明する。上枠１５と下枠１４との間の隙間１７に外側から本体２の折り曲げ片１０を差込み、下枠１４の上面を折り曲げ片１０の内面側に、上枠１５の下面を折り曲げ片１０の外面側に当接する。
【００２７】
この状態で、上枠１５の下面に設けた係止爪１８が折り曲げ片１０に形成してある係止孔１１に外側から入り込み、さらに、先端の突出部１８ａが折り曲げ片１０の内側に係止孔１１の縁で係合するから、枠体３が折り曲げ片１０に固定される。
【００２８】
このようにして折り曲げ片１０が上枠１５と下枠１４との間に挟まれ、さらに、下枠１４の外周縁が各折り曲げ片１０の基端部に当接した状態で枠体３が本体２の背面側に固定される。この状態で、舌片１３が上面部６、下面部７に当接する位置まで、あるいは、鎖線で示すようにそれ以上の角度をもって基端部で折れ曲がり、枠体３の下側で枠体３に対して鉛直方向に配置されることになるから、この舌片１３により枠体３が支承されて前面部５の方向への枠体３の倒れ込みを防止できる。
【００２９】
また、枠体３と折り曲げ片１０との係止によって、上面部６、下面部７および左右の側面部８、９の各面部が背面側の折り曲げ片１０の方向に引っ張られるから、各面部が脹らむことを防止でき、本体２を箱型の形状に保持できる。
【００３０】
図６〜図９は第２実施形態を示し、前記第１実施形態では枠体３を下枠１４と上枠１５との２重枠構造としたが、この第２実施形態では図８に示すように、一重の枠構造として、本体２の折り曲げ片１０の基端部に外縁が当接する本体枠１９の単体で構成し、係止爪２０はこの本体枠１９の上面に形成した。２０ａは係止爪２０の先端に形成した突出部を示す。
【００３１】
また、本体２の折り曲げ片１０に形成する係止孔１１は、図７に示すようにその基端部の側、すなわち、上面部６、下面部７および左右の側面部８、９の各面部との折り曲げ箇所によせて配置した。
【００３２】
そして、枠体３である本体枠１９を箱型の本体２に装着するには、本体枠１９を折り曲げ片１０の内側にいれ込み、係止爪２０を係止孔１１に対して下側から挿入し、係止爪２０の先端に突設してある突出部２０ａを係止孔１１の縁に係止する。
【００３３】
この状態で、本体枠１９が折り曲げ片１０の内側に当接して本体２の背面側に固定され、本体２を箱型の形状に保持する。なお、係止爪２０の形状は、図示のものに限定されるものではなく、図１０に示すように全体をＵ字形の弾性を有するフック形状として、先端の突出部２０ａが本体枠１９の方向にバネ効果によって倒れるようにすれば、係止孔１１への差込みの際は、係止爪２０の先端の突出部２０ａを本体枠１９の方向に倒すことで係止爪２０を容易に係止孔１１内に差込むことができ、差込後は、突出部２０ａが弾性により復位し係止孔１１の縁に確実に係止する。
【００３４】
【発明の効果】
以上述べたようにこの発明のディスプレイ用ダミー品は、枠体を箱型の本体の背面側に装着するだけでよいので、組立てが容易で、かつ、装着した状態では枠体が本体を箱型の形状に確実に保持するから、本物の商品に近い形状のものに形成できるものである。
【図面の簡単な説明】
【図１】この発明のディスプレイ用ダミー品の第１実施形態を示す背面側の斜視図である。
【図２】この発明のディスプレイ用ダミー品の第１実施形態を示す箱型の本体の背面側の斜視図である。
【図３】この発明のディスプレイ用ダミー品の第１実施形態を示す枠体の背面側の斜視図である。
【図４】この発明のディスプレイ用ダミー品の第１実施形態を示す枠体の正面図である。
【図５】この発明のディスプレイ用ダミー品の第１実施形態を示す要部である箱型の本体と枠体との係止部の縦断正面図である。
【図６】この発明のディスプレイ用ダミー品の第２実施形態を示す背面側の斜視図である。
【図７】この発明のディスプレイ用ダミー品の第２実施形態を示す箱型の本体の背面側の斜視図である。
【図８】この発明のディスプレイ用ダミー品の第２実施形態を示す枠体の背面側の斜視図である。
【図９】この発明のディスプレイ用ダミー品の第２実施形態を示す要部である箱型の本体と枠体との係止部の縦断正面図である。
【図１０】この発明のディスプレイ用ダミー品の第２実施形態の要部である係止爪の他の例を示す斜視図である。
【図１１】従来のディスプレイ用ダミー品を示す背面側の斜視図である。
【図１２】従来のディスプレイ用ダミー品を示す展開図である。
【符号の説明】
１  ダミー品                    ２  本体
３  枠体                        ４  開放部
５  前面部                      ６  上面部
７  下面部                      ８、９  左右の側面部
１０  折り曲げ片                １１  係止孔
１２  空隙                      １３  舌片
１４  下枠                      １５  上枠
１６  連成部                    １７  隙間
１８  係止爪                    １８ａ  突出部
１９  本体枠                    ２０  係止爪
２０ａ  突出部                  ２１  ダミー品
２２  前面部                    ２３  左側部
２４  右側部                    ２５ａ、２５ｂ  背面部
２６  上面部                    ２７  下面部
２８ａ、２８ｂ  折り曲げ片
【図１】
2004318212.tif 000003
【図２】
2004318212.tif 000004
【図３】
2004318212.tif 000005
【図４】
2004318212.tif 000006
【図５】
2004318212.tif 000007
【図６】
2004318212.tif 000008
【図７】
2004318212.tif 000009
【図８】
2004318212.tif 000010
【図９】
2004318212.tif 000011
【図１０】
2004318212.tif 000012
【図１１】
2004318212.tif 000013
【図１２】
2004318212.tif 000014